(57)【特許請求の範囲】
【請求項１】
ガス通路の遮断を行うマイコンメーターと、このマイコンメーターの状態情報を無線データとして送信する無線ユニットと、前記無線データを受信する給湯器と、この給湯器を制御し報知部を備えたリモコンとで構成され、前記マイコンメーターから受信した状態情報を前記給湯器用リモコンの報知部により報知するとともに、前記マイコンメーターが前記給湯器へのガス供給を遮断する状態となったことに連動して前記給湯器の運転動作を停止し、前記マイコンメーターが前記給湯器へのガス供給を開始する状態となったことに連動して前記給湯器の運転動作を再開することを特徴としたガス保安システム。
【発明の詳細な説明】
【０００１】
【発明の属する技術分野】
本発明は、ガス流量を計測し、異常流量が計測された場合にはガス通路を遮断し、ガス使用上の安全性を確保するガス保安システムに関するものである。
【０００２】
【従来の技術】
近年、ガスの使用量を計測するガスメータに、多量の流量が計測された場合や、通常ではありえないほどの長時間使用があった場合には、異常と判定してガス通路を遮断し、安全性を確保する保安装置が内蔵されたものが普及している。
【０００３】
そして、このガスメーター内の情報を無線データとして、ガスを管理しているセンターに送信する装置が実用化されている。
【０００４】
また、給湯器においても、給湯器本体をリモコンから無線で制御するものが商品化されている。
【０００５】
しかし、同じガスを使用するにもかかわらず、これらの商品は個々に動作し、端末の集中制御で連携させることは検討されているがお互いに直接連携を持たせたシステムとしての運用は行われていなかった。また、連携の伝達情報もガス使用量の計測値やそれにともなう料金のみであった。
【０００６】
【発明が解決しようとする課題】
しかしながら、例えばガスが遮断された場合、ガスの使用者は容易に遮断されたことを知ることができず、わざわざマイコンメーターの設置場所まで行って確認しなければならなかった。また、いつ、どのような理由でガスが止まってしまったのかわからない等、マイコンメータのその時々の状態を容易に知ることができないという課題があった。
【０００７】
【課題を解決するための手段】
上記課題を解決するため本発明では、ガスメーターの状態情報を家屋内に設置された給湯器のリモコンより報知することにより、ガス使用者が容易にガスメーターの状態を知ることができるようにしたものである。
【０００８】
【発明の実施の形態】
本発明の第１の手段によるガス保安システムは、マイコンメーターと、このマイコンメーターの状態情報を無線データとして送信する無線ユニットと、前記無線データを受信できる給湯器と、この給湯器を制御し、報知部を備えたリモコンとで構成され、前記マイコンメーターの状態情報を前記給湯器用リモコンの報知部により報知するとともに、マイコンメーターが給湯器へのガス供給を遮断する状態となったことに連動して給湯器の運転動作を停止し、マイコンメーターが給湯器へのガス供給を開始する状態となったことに連動して給湯器の運転動作を再開するようにしたものである。
【０００９】
これにより、給湯器は、ガス供給に合わせて、瞬時に動作を変更することができる。たとえば、マイコンメーターの状態情報を定期的、もしくは状態に変化があったときに給湯器に取り込み、給湯器の運転動作をマイコンメーターの状態にあわせて変化させることにより、自動運転中にガスが遮断された場合など、通常なら失火エラーになるような状態であっても給湯器の燃焼を止め、ガス供給が開始されれば自動的に燃焼させるというようなことができる。
【００１６】
【実施例】
以下、本発明の実施例について図面を用いて説明する。
【００１７】
（実施例１）
図１は本発明の手段によるガス保安システムを示す構成図である。
【００１８】
１は、マイコンメーターで、ガス流量の計測部、ガス通路の遮断装置、制御部で主に構成されている。２は、無線ユニットで、マイコンメーターの各種状態情報を無線データとして送受信する。３は、無線データを送受信できる装置を内蔵した給湯器である。４は、給湯器３をコントロールするリモコンで、５は、このリモコン４に装備される報知部である。
【００１９】
本発明の第１の手段によると、マイコンメーター１がガス流量の異常等のため内蔵の遮断装置によりガスを止めると、接続されている無線ユニット２によりマイコンメーター１の遮断情報が無線データとして送信される。この無線データを受信した給湯器３は、接続されたリモコン４の報知部５を通じてマイコンメーターがどの様な状態であるか、また、どの様な理由で遮断したかを信号や音声として報知する。
【００２０】
これにより、ガスの使用者は、ガスが止まっているということをわざわざガス機器を動作させて確認したり、マイコンメーターの表示部を確認したりすることなく知ることができ、また、なぜガスが止まってしまったかも知ることができるので、対処しやすくなる。
【００２１】
ガスの遮断情報も、ガス流量、時間、警報器、感震器、センター等の遮断理由毎の区別を行ったり、マイコンメーターが制御しているガス漏れ、内蔵電池の電圧低下、ガス圧力低下等の各種警告や検針値などあらゆる情報を必要に応じて報知するようにしてもよいし、リモコン４に表示部を設けて表示するようにしても良い。
【００２２】
（実施例２）
本発明の第２の手段によると、給湯器３がリモコン４により無線で制御されている構成である場合、無線ユニット２により送信されたマイコンメーター１の情報をもった無線データを、直接リモコン４が受信し、報知するようにする。
【００２３】
これにより、給湯器本体を経由せず、直接リモコンがマイコンメーターの無線データを受信することができるため、より時間のロスなく、ガスの使用者はマイコンメーターの状態情報を知ることができる。
【００２４】
（実施例３）
本発明の第３の手段によると、リモコン４上にマイコンメーター１の状態情報要求スイッチ６を設け、これを押すことによりマイコンメーター１へ状態情報の要求命令が送られ、マイコンメーターは無線データでこれに応答する状態情報を返信することにより、その時の状態をリモコンの報知部５により報知する。
【００２５】
これにより、ガスの使用者は、ガス機器に異常がある場合などに、まずガス供給の元に位置するガスメーターの異常を任意にスイッチを押すだけで確認することができるため、異常の原因がガス機器にあるのかガスメーターにあるのか特定しやすくなる。
【００２６】
また、実施例１及び２のマイコンメーター状態情報の報知を受信できなくても、状態情報要求スイッチを押すことにより再度聞くことができる。
【００２７】
（実施例４）
本発明の第４の手段によると、マイコンメーター１の状態情報を定期的、もしくは状態に変化があったときに無線通信して給湯器３に取り込み、給湯器の運転動作をマイコンメーターの状態に合わせて変化させるようにする。
【００２８】
これにより、自動お湯張り運転中にガスが遮断された場合など、通常なら失火エラーになりお湯張りが完了しないような状態であっても、給湯器の燃焼をいったん止め水を止め、ガス供給が開始されれば自動的に燃焼してお湯張りを再開させるというようなことができる。
【００２９】
なお、本実施例では状態情報要求部として状態情報要求スイッチで説明したがこれに限らない。例えば、状態情報要求部は定期的に状態情報要求を行ってもよいし、スイッチに限らず人検知センサーと連動して人が近づいたら状態情報要求を行ってもよい。
【００３０】
【発明の効果】
以上の説明から明らかのように本発明のガス保安システムによれば、マイコンメーターの状態が無線データとして給湯器に送られ、受信した給湯器は接続された屋内のリモコンにより信号や音声として報知するので、ガスが止まったとしても、ガス使用者はガス機器の動作での確認やマイコンメーターの設置場所まで行っての確認をしなくてもよく、なぜガスが止まってしまったかも知ることができるので、対処しやすくなる。
【図面の簡単な説明】
【図１】本発明の実施例１におけるガス保安システムを示す構成図
【図２】本発明の実施例２におけるガス保安システムを示す構成図
【図３】本発明の実施例３におけるガス保安システムを示す構成図
【符号の説明】
１  マイコンメーター
２  無線ユニット
３  給湯器
４  リモコン
５  報知部
６  状態情報要求スイッチ（状態情報要求部）
【図１】
0003876713.tif 000002
【図２】
0003876713.tif 000003
【図３】
0003876713.tif 000004